【手続補正書】
【提出日】平成16年7月14日(2004.7.14)
【手続補正１】
【補正対象書類名】明細書
【補正対象項目名】特許請求の範囲
【補正方法】変更
【補正の内容】
【特許請求の範囲】
【請求項１】
感染性因子を保有する被験体を処置するためのキットであって、該キットは、
１以上の抗原を含む薬学的組成物であって、該抗原は、：
（１）
（ｉ）該感染性因子；または
（ｉｉ）該感染性因子に感染した細胞；または
（ｉｉｉ）上記（１）（ｉ）および（１）（ｉｉ）の組合せ、
に対して指向される、少なくとも１つの第１の特異的免疫反応を確立し得るか、または増大させ得；そして
（２）該第１の特異的免疫反応（１）とは異なる、少なくとも１つの第２の特異的免疫反応を減少させ得、該第２の特異的免疫反応は、以下：
（ｉ）該感染性因子；または
（ｉｉ）該感染性因子に感染した細胞；または
（ｉｉｉ）非感染細胞；または
（ｉｖ）上記（２）（ｉ）、（２）（ｉｉ）および（２）（ｉｉｉ）のいずれかの組合せ、
に対して指向される、薬学的組成物、ならびに、
該被験体に該組成物を導入または投与することを指示する、使用説明書、
を含む、キット。
【請求項２】
前記第１の特異的免疫反応および前記第２の特異的免疫反応が、前記１以上の抗原の少なくとも２つの異なるエピトープに対して指向される、請求項１に記載のキット。
【請求項３】
前記第１の特異的免疫反応および前記第２の特異的免疫反応が、前記被験体の免疫系の異なる成分によって媒介される、請求項１に記載のキット。
【請求項４】
前記第１の特異的免疫反応および前記第２の特異的免疫反応が、前記１以上の抗原の少なくとも２つの異なるエピトープに対して指向され、そして前記被験体の免疫系の異なる成分によって媒介される、請求項１に記載のキット。
【請求項５】
前記第１の特異的免疫反応および前記第２の特異的免疫反応が、前記１以上の抗原の同じエピトープに対して指向される、請求項３に記載のキット。
【請求項６】
前記第１の特異的免疫反応および前記第２の特異的免疫反応の前記異なる成分が、細胞性免疫反応要素、液性免疫反応要素、およびサイトカインからなる群より選択される、請求項４または５に記載のキット。
【請求項７】
前記特異的免疫反応の前記成分が、細胞性免疫応答要素を含み、そして該特異的免疫反応の対応成分が、液性免疫応答要素またはサイトカインを含む、請求項６に記載のキット。
【請求項８】
前記特異的免疫反応の前記成分が、液性免疫応答要素を含み、そして該特異的免疫反応の対応成分が、細胞性免疫応答要素またはサイトカインを含む、請求項６に記載のキット。
【請求項９】
前記特異的免疫反応の前記成分が、サイトカインを含み、そして該特異的免疫反応の対応成分が、細胞性免疫応答要素または液性免疫応答要素を含む、請求項６に記載のキット。
【請求項１０】
前記薬学的組成物が、前記１以上の抗原を、単回用量にて含む、請求項１に記載のキット。
【請求項１１】
前記薬学的組成物が、前記１以上の抗原を、複数回用量にて含む、請求項１に記載のキット。
【請求項１２】
前記使用説明書が、前記薬学的組成物を、異なる投薬量にて導入または投与することをさらに指示する、請求項１に記載のキット。
【請求項１３】
前記１以上の抗原が、異なるエピトープを有する抗原を含む、請求項１２に記載のキット。
【請求項１４】
前記使用説明書が、前記薬学的組成物を、連続的に導入または投与することをさらに指示する、請求項１に記載のキット。
【請求項１５】
前記使用説明書が、前記薬学的組成物を、間欠的または定期的に導入または投与することをさらに指示する、請求項１に記載のキット。
【請求項１６】
前記使用説明書が、前記薬学的組成物を単一の経路によって導入または投与することをさらに指示する、請求項１に記載のキット。
【請求項１７】
前記使用説明書が、前記薬学的組成物を、少なくとも２つの異なる経路によって導入または投与することを指示する、請求項１に記載のキット。
【請求項１８】
請求項１に記載のキットであって、前記使用説明書が、前記薬学的組成物を、経口、静脈内、非経口、経皮、皮下、膣内、鼻腔内、粘膜、舌下、耳、気管支内、局所、筋肉内、腹腔内、直腸、およびこれらのいずれかの組合せからなる群より選択される経路によって導入または投与することをさらに指示する、キット。
【請求項１９】
前記使用説明書が、前記薬学的組成物を、経口により導入または投与することをさらに指示する、請求項１に記載のキット。
【請求項２０】
前記使用説明書が、１以上のキャリアを導入または投与することをさらに指示する、請求項１に記載のキット。
【請求項２１】
前記感染性因子がウイルスを含む、請求項１に記載のキット。
【請求項２２】
前記ウイルスが、ＨＢＶ、ＨＣＶ、ＨＩＶおよびこれらのいずれかの組合せからなる群より選択される、請求項２０に記載のキット。
【請求項２３】
感染性因子を保有する被験体を処置するためのキットであって、該キットは、
少なくとも２つの異なる抗原を含む薬学的組成物であって、該抗原の各々が、以下：
（１）
（ｉ）該感染性因子；または
（ｉｉ）該感染性因子に感染した細胞；または
（ｉｉｉ）上記（１）（ｉ）および（１）（ｉｉ）の組合せ；
に対して指向される、少なくとも１つの第１の特異的免疫反応を確立し得るか、または増大し得、そして
（２）  該第１の特異的免疫反応（１）とは異なる、少なくとも１つの第２の特異的免疫反応を減少させ得、該第２の特異的免疫反応が、以下：
（ｉ）該感染性因子；または
（ｉｉ）該感染性因子に感染した細胞；または
（ｉｉｉ）非感染細胞；または
（ｉｖ）上記（２）（ｉ）、（２）（ｉｉ）および（２）（ｉｉｉ）のいずれかの組合せ、
に対して指向される、薬学的組成物、
ならびに、該被験体に該組成物を導入または投与することを指示する、使用説明書、
を含む、キット。
【請求項２４】
前記第１の特異的免疫反応および前記第２の特異的免疫反応が、前記１以上の抗原の少なくとも２つの異なるエピトープに対して指向される、請求項２３に記載のキット。
【請求項２５】
前記第１の特異的免疫反応および前記第２の特異的免疫反応が、前記１以上の抗原の少なくとも２つの異なるエピトープに対して指向され、そして前記被験体の免疫系の異なる成分によって媒介される、請求項２３に記載のキット。
【請求項２６】
前記第１の特異的免疫反応および前記第２の特異的免疫反応の前記異なる成分が、細胞性免疫反応要素、液性免疫反応要素、およびサイトカインからなる群より選択される、請求項２４または２５に記載のキット。
【請求項２７】
前記特異的免疫反応の前記成分が細胞性免疫応答要素を含み、かつ該特異的免疫反応の対応成分が液性免疫応答要素またはサイトカインを含むか、あるいは前記特異的免疫反応の前記成分が液性免疫応答要素を含み、かつ該特異的免疫反応の対応成分が細胞性免疫応答要素またはサイトカインを含む、請求項２６に記載のキット。
【請求項２８】
前記特異的免疫反応の前記成分が、サイトカインを含み、そして該特異的免疫反応の対応成分が、細胞性免疫応答要素または液性免疫応答要素を含む、請求項２６に記載のキット。
【請求項２９】
前記使用説明書が、前記薬学的組成物を、単回用量または複数回用量にて導入または投与することをさらに指示する、請求項２３に記載のキット。
【請求項３０】
前記使用説明書が、前記薬学的組成物を、異なる投薬量にて導入または投与することをさらに指示する、請求項２３に記載のキット。
【請求項３１】
前記使用説明書が、前記薬学的組成物を、連続投与および間欠的投与または定期的投与からなる群より選択される様式にて導入または投与することをさらに指示する、請求項２３に記載のキット。
【請求項３２】
前記使用説明書が、前記薬学的組成物を、単一の経路によってか、または少なくとも２つの異なる経路によって導入または投与することをさらに指示する、請求項２３に記載のキット。
【請求項３３】
請求項２３に記載のキットであって、前記使用説明書が、前記薬学的組成物を、経口、静脈内、非経口、経皮、皮下、膣内、鼻腔内、粘膜、舌下、耳、気管支内、局所、筋肉内、腹腔内、直腸、およびこれらのいずれかの組合せからなる群より選択される経路によって導入または投与することをさらに指示する、キット。
【請求項３４】
前記使用説明書が、前記薬学的組成物を、経口により導入または投与することをさらに指示する、請求項２３に記載のキット。
【請求項３５】
前記使用説明書が、１以上のキャリアを導入または投与することをさらに指示する、請求項２３に記載のキット。
【請求項３６】
前記感染性因子がウイルスを含む、請求項２３に記載のキット。
【請求項３７】
前記ウイルスが、ＨＢＶ、ＨＣＶ、ＨＩＶおよびこれらのいずれかの組合せからなる群より選択される、請求項３６に記載のキット。
【請求項３８】
感染性因子を保有する被験体を処置するための組成物であって、該組成物は、
該被験体からの免疫細胞を含み、
該免疫細胞は、養成または採用する工程によって、
（１）
（ｉ）該感染性因子；または
（ｉｉ）該感染性因子に感染した細胞；または
（ｉｉｉ）上記（１）（ｉ）および（１）（ｉｉ）の組合せ、
に対して指向される、少なくとも１つの第１の特異的免疫反応を確立し得るか、または増大し得、そして
（２）該第１の特異的免疫反応（１）とは異なる、少なくとも１つの第２の特異的免疫反応を減少し得るようにされており、該第２の特異的免疫反応が、以下：
（ｉ）該感染性因子；または
（ｉｉ）該感染性因子に感染した細胞；または
（ｉｉｉ）非感染細胞；または
（ｉｖ）上記（２）（ｉ）、（２）（ｉｉ）および（２）（ｉｉｉ）のいずれかの組合せ、
に対して指向される、組成物。
【請求項３９】
前記養成または採用する工程が、代理において実施された、請求項３８に記載の組成物。
【請求項４０】
前記養成または採用する工程が、インビトロにて実施された、請求項３８に記載の組成物。
【請求項４１】
感染性因子を保有する被験体を処置するためのキットであって、該キットが、
養成されたドナーから、またはナイーブなドナーからの免疫細胞であって、該免疫細胞が、代理においてか、またはインビトロにおいて養成されており；
該免疫細胞は、
（１）以下の（ｉ）〜（ｉｉｉ）：
（ｉ）該感染性因子；または
（ｉｉ）該感染性因子に感染した細胞；または
（ｉｉｉ）上記（１）（ｉ）および（１）（ｉｉ）の組合せ、
に対して指向される、少なくとも１つの第１の特異的免疫反応を確立し得るか、または増大し得、そして
（２）該第１の特異的免疫反応（１）とは異なる、少なくとも１つの第２の特異的免疫応答を減少し得、該第２の特異的免疫応答が、以下：
（ｉ）該感染性因子；または
（ｉｉ）該感染性因子に感染した細胞；または
（ｉｉｉ）非感染細胞；または
（ｉｖ）上記（２）（ｉ）、（２）（ｉｉ）および（２）（ｉｉｉ）のいずれかの組合せ、
に対して指向される、免疫細胞、ならびに
対宿主性移植片病合併症について、該被験体を管理または処置する工程についての説明書、
を備える、キット。
【請求項４２】
前記管理または処置する工程が、切除、免疫抑制化合物の投与、経口寛容化、およびこれらのいずれかの組合せからなる群より選択される処置を包含する、請求項４１に記載のキット。
【請求項４３】
癌細胞を含む腫瘍を有するか、または癌細胞を有する、癌の被験体を処置するためのキットであって、該キットは、
１以上の特異的抗原を含む、薬学的組成物であって、該抗原は、
（１）以下：
（ｉ）癌関連抗原；または
（ｉｉ）癌細胞；または
（ｉｉｉ）（１）（ｉ）および（１）（ｉｉ）の組合せ、
に対して指向される、少なくとも１つの第１の特異的免疫反応を確立し得るか、または増大し得、そして
（２）該第１の特異的免疫反応とは異なる、少なくとも１つの第２の特異的免疫反応を減少し得、該第２の特異的免疫反応が、以下：
（ｉ）該癌関連抗原；または
（ｉｉ）該癌細胞；または
（ｉｉｉ）非癌細胞；または
（ｉｖ）（２）（ｉ）、（２）（ｉｉ）および（２）（ｉｉｉ）の組合せ、
に対して指向される、薬学的組成物、
ならびに、該被験体に該組成物を導入または投与することを指示する、使用説明書、
を含む、キット。
【請求項４４】
前記使用説明書が、前記薬学的組成物を、単回用量にて導入または投与することをさらに指示する、請求項４３に記載のキット。
【請求項４５】
前記使用説明書が、前記薬学的組成物を、複数回用量にて導入または投与することをさらに指示する、請求項４３に記載のキット。
【請求項４６】
前記使用説明書が、前記薬学的組成物を、異なる投薬量にて導入または投与することをさらに指示する、請求項４３に記載のキット。
【請求項４７】
前記１以上の抗原が、異なるエピトープを有する抗原を含む、請求項４３に記載のキット。
【請求項４８】
前記使用説明書が、前記薬学的組成物を、連続的に導入または投与することをさらに指示する、請求項４３に記載のキット。
【請求項４９】
前記使用説明書が、前記薬学的組成物を、間欠的または定期的に導入または投与することをさらに指示する、請求項４３に記載のキット。
【請求項５０】
前記使用説明書が、前記薬学的組成物を、単一の経路によって導入または投与することをさらに指示する、請求項４３に記載のキット。
【請求項５１】
前記使用説明書が、前記薬学的組成物を、少なくとも２つの異なる経路によって導入または投与することをさらに指示する、請求項４３に記載のキット。
【請求項５２】
請求項４３に記載のキットであって、前記使用説明書が、前記薬学的組成物を、経口、静脈内、非経口、経皮、皮下、膣内、鼻腔内、粘膜、舌下、耳、気管支内、局所、筋肉内、腹腔内、直腸、およびこれらのいずれかの組合せからなる群より選択される経路によって導入または投与することをさらに指示する、キット。
【請求項５３】
前記使用説明書が、前記薬学的組成物を、経口により導入または投与することをさらに指示する、請求項４３に記載のキット。
【請求項５４】
前記使用説明書が、他の従来の癌の処置を用いて、前記被験体を処置することをさらに指示する、請求項４３に記載のキット。
【請求項５５】
癌細胞を含む腫瘍を有するか、または癌細胞を有する、癌の被験体を処置するための組成物であって、該組成物は、
該癌の被験体からの免疫細胞を含み、
該免疫細胞は、養成または採用する工程によって、
（１）
（ｉ）癌関連抗原；または
（ｉｉ）癌細胞；または
（ｉｉｉ）（１）（ｉ）および（１）（ｉｉ）の組合せ、
に対して指向される、少なくとも１つの第１の特異的免疫反応を確立し得るか、または増大し得、そして
（２）該第１の特異的免疫反応（１）とは異なる、少なくとも１つの第２の特異的免疫反応を減少し得るようにされており、該第２の特異的免疫反応が、以下：
（ｉ）該癌関連抗原；または
（ｉｉ）該癌細胞；または
（ｉｉｉ）非癌細胞；または
（ｉｖ）（２）（ｉ）、（２）（ｉｉ）および（２）（ｉｉｉ）の組合せ、
に対して指向される、組成物。
【請求項５６】
前記養成または採用する工程が、代理において実施された、請求項５５に記載の組成物。
【請求項５７】
前記養成または採用する工程が、インビトロにて実施された、請求項５５に記載の組成物。
【請求項５８】
癌細胞を含む腫瘍を有するか、または癌細胞を有する、癌の被験体を処置するためのキットであって、該キットが、
養成されたドナーから、またはナイーブなドナーからの免疫細胞であって、該免疫細胞が、代理においてか、またはインビトロにおいて養成されており、
該免疫細胞は、
（１）
（ｉ）癌関連抗原；または
（ｉｉ）癌細胞；または
（ｉｉｉ）（１）（ｉ）および（１）（ｉｉ）の組合せ、
に対して指向される、少なくとも１つの第１の特異的免疫反応を確立し得るか、または増大し得、そして
（２）該第１の特異的免疫反応（１）とは異なる、少なくとも１つの第２の特異的免疫反応を減少し得るようにされており、該第２の特異的免疫反応が、以下：
（ｉ）該癌関連抗原；または
（ｉｉ）該癌細胞；または
（ｉｉｉ）非癌細胞；または
（ｉｖ）（２）（ｉ）、（２）（ｉｉ）および（２）（ｉｉｉ）の組合せ、
に対して指向される、取り出された免疫細胞、ならびに
対宿主性移植片病合併症について、該被験体を管理または処置する工程についての説明書、
を備える、キット。
【請求項５９】
前記管理または処置する工程が、切除、免疫抑制化合物の投与、経口寛容化、およびこれらのいずれかの組合せからなる群より選択される処置を包含する、請求項５８に記載のキット。
【請求項６０】
感染性因子に対してワクチン接種された被験体の免疫化状態を増強するための薬学的組成物であって、
（１）該感染性因子に対して指向された、少なくとも１つの第１の特異的免疫反応を確立し得るか、または増大し得；そして
（２）該第１の特異的免疫反応（１）とは異なる、少なくとも１つの第２の特異的免疫反応を減少させ得、該第２の特異的免疫反応が、以下：
（ｉ）該感染性因子；または
（ｉｉ）非感染細胞；または
（ｉｉｉ）上記（２）（ｉ）および（２）（ｉｉ）の組合せ、
に対して指向される、１以上の特異的抗原を含む、薬学的組成物。
【請求項６１】
感染性因子に対してワクチン接種された被験体の免疫化状態を増強するための組成物であって、該組成物は、
該被験体からの免疫細胞を含み、
該免疫細胞は、養成または採用する工程によって、
（１）該感染性因子に対して指向された、少なくとも１つの第１の特異的免疫反応を確立し得るか、または増大し得；そして
（２）該第１の特異的免疫反応（１）とは異なる、少なくとも１つの第２の特異的免疫反応を減少させ得るようにされており、該第２の特異的免疫反応が、以下：
（ｉ）該感染性因子；または
（ｉｉ）非感染細胞；または
（ｉｉｉ）上記（２）（ｉ）および（２）（ｉｉ）の組合せ、
に対して指向される、組成物。
【請求項６２】
前記養成または採用する工程が、代理において実施された、請求項６１に記載の組成物。
【請求項６３】
前記養成または採用する工程が、インビトロにて実施された、請求項６１に記載の組成物。
【請求項６４】
感染性因子に対してワクチン接種された被験体の免疫化状態を増強するためのキットであって、該キットが、
養成されたドナーから、またはナイーブなドナーからの免疫細胞であって、該免疫細胞が、代理においてか、またはインビトロにおいて養成されており、
該免疫細胞は、
（１）該感染性因子に対して指向される、少なくとも１つの第１の特異的免疫反応を確立し得るか、または増大し得、そして
（２）該第１の特異的免疫反応（１）とは異なる、少なくとも１つの第２の特異的免疫反応を減少し得るようにされており、該第２の特異的免疫反応が、以下：
（ｉ）該感染性因子；または
（ｉｉ）非感染細胞；または
（ｉｉｉ）上記（２）（ｉ）および（２）（ｉｉ）の組合せ、
に対して指向される、取り出された免疫細胞、ならびに
対宿主性移植片病合併症について、該被験体を管理または処置する工程についての説明書、
を備える、キット。
【請求項６５】
前記管理または処置する工程が、切除、免疫抑制化合物の投与、経口寛容化、およびこれらのいずれかの組合せからなる群より選択される処置を包含する、請求項６４に記載のキット。
【請求項６６】
感染性因子に対して被験体をワクチン接種するためのキットであって、該キットは、
（ａ）該感染性因子に対する免疫応答を確立し得る、１以上の第１の抗原を含む、第１の薬学的組成物；
（ｂ）
（１）該感染性因子に対して指向される、少なくとも１つの第１の特異的免疫反応を確立し得るか、または増大し得；そして
（２）該第１の特異的免疫反応（１）とは異なる、少なくとも１つの第２の特異的免疫反応を減少させ得、該第２の特異的免疫反応が、以下：
（ｉ）該感染性因子；または
（ｉｉ）非感染細胞；または
（ｉｉｉ）上記（２）（ｉ）および（２）（ｉｉ）の組合せ、
に対して指向される、１以上の第２の特異的抗原、
を含む、第２の薬学的組成物；ならびに
該第１の薬学的組成物および該第２の薬学的組成物を該被験体に導入または投与することを指示する、使用説明書、
を含む、キット。
【請求項６７】
前記第１の薬学的組成物および前記第２の薬学的組成物が、異なる抗原を含むか、または異なるエピトープを含む、請求項６６に記載のキット。
【請求項６８】
前記使用説明書が、前記第１の薬学的組成物および前記第２の薬学的組成物を、異なるレジメ、投薬量または経路によって導入または投与することをさらに指示する、請求項６６に記載のキット。
【請求項６９】
感染性因子に対して被験体をワクチン接種するためのキットであって、該キットは、
該感染性因子に対する免疫応答を確立し得る、１以上の第１の抗原；ならびに
免疫細胞であって、
（１）該感染性因子に対して指向される、少なくとも１つの第１の特異的免疫反応を確立し得るか、または増大し得；そして
（２）該第１の特異的免疫反応（１）とは異なる、少なくとも１つの第２の特異的免疫反応を減少させ得、該第２の特異的免疫反応が、以下：
（ｉ）該感染性因子；または
（ｉｉ）非感染細胞；または
（ｉｉｉ）上記（２）（ｉ）および（２）（ｉｉ）の組合せ、
に対して指向され、該免疫細胞が、該被験体から取り出されており、そして養成または採用されている、免疫細胞、
を備える、キット。
【請求項７０】
感染性因子に対して被験体をワクチン接種するためのキットであって、該キットは、
該感染性因子に対する免疫応答を確立し得る、１以上の第１の抗原；
免疫細胞であって、
（１）該感染性因子に対して指向される、少なくとも１つの第１の特異的免疫反応を確立し得るか、または増大し得；そして
（２）該第１の特異的免疫反応（ａ）（１）とは異なる、少なくとも１つの第２の特異的免疫反応を減少させ得、該第２の特異的免疫反応が、以下：
（ｉ）該感染性因子；または
（ｉｉ）非感染細胞；または
（ｉｉｉ）上記（２）（ｉ）および（２）（ｉｉ）の組合せ、
に対して指向され、該免疫細胞が養成されたドナーから、またはナイーブなドナーから取り出されており、該免疫細胞が、代理において、またはインビトロにおいて養成されている、免疫細胞；ならびに
対宿主性移植片病合併症について、該被験体を管理または処置する工程についての説明書、
を備える、キット。
【請求項７１】
前記管理または処置する工程が、切除、免疫抑制化合物の投与、経口寛容化、およびこれらのいずれかの組合せからなる群より選択される処置を包含する、請求項７０に記載のキット。
【請求項７２】
（１）  目的の感染性因子、該感染性因子に感染した細胞、またはその両方に対して指向される、少なくとも１つの第１の特異的免疫反応を確立し得るか、または増大し得、そして
（２）該第１の特異的免疫反応とは異なる、少なくとも１つの第２の特異的免疫反応を減少させ得、該第２の特異的免疫反応が、該感染性因子、該感染性因子に感染した細胞、非感染細胞、または該感染性因子、該感染細胞および該非感染細胞のいずれかの組合せに対して指向される、
特異的抗原を含む、治療用組成物。
【請求項７３】
（１）  目的の感染性因子、該感染性因子に感染した細胞、またはその両方に対して指向される、少なくとも１つの第１の特異的免疫反応を確立し得るか、または増大し得、そして
（２）該第１の特異的免疫反応とは異なる、少なくとも１つの第２の特異的免疫反応を減少させ得、該第２の特異的免疫反応が、該感染性因子、該感染性因子に感染した細胞、非感染細胞、または該感染性因子、該感染細胞および該非感染細胞のいずれかの組合せに対して指向される、
養成または採用された免疫細胞を含む、治療用組成物。
【請求項７４】
（１）癌関連抗原、癌細胞、または該癌関連抗原および該癌細胞の組合せに対して指向される、少なくとも１つの第１の特異的免疫反応を確立し得るか、または増大し得；そして
（２）該第１の特異的免疫反応とは異なる、少なくとも１つの第２の特異的免疫反応を減少し得、該第２の特異的免疫反応が、該癌関連抗原；該癌細胞；非癌細胞；または該癌関連抗原、該癌細胞および該非癌細胞の組合せに対して指向される、
養成または採用された免疫細胞を含む、治療用組成物。
【請求項７５】
（１）癌関連抗原；癌細胞；または該癌関連抗原および該癌細胞の組合せに対して指向される、少なくとも１つの第１の特異的免疫反応を確立し得るか、または増大し得；そして
（２）該第１の特異的免疫反応（１）とは異なる、少なくとも１つの第２の特異的免疫反応を減少し得、該第２の特異的免疫反応が、該癌関連抗原；該癌細胞、非癌細胞、ならびに該癌関連抗原、該癌細胞および該非癌細胞の組合せに対して指向される、
養成または採用された免疫細胞を含む、治療用組成物。